(57)【特許請求の範囲】
【請求項１】
サンプルを、基板表面を有する基板から抽出するための装置であって、
１以上のステージ・コントローラに接続された、基板用の可動ステージと、
マイクロプローブと、
前記可動ステージ上に設けられ、２つの側壁に挟まれた空間によって形成されて前記基板表面側に開口する空洞を有する前記基板を保持する基板ホルダと、
前記基板を撮像する撮像装置と、
前記基板ホルダが前記基板を保持しているとき、前記基板表面に対してある斜角で前記基板表面に光を当てるための光源であって、前記空洞内に前記サンプルが存在しない場合に前記光が前記２つの側壁で反射して前記撮像装置の受光角に入り、前記空洞内に前記サンプルが存在する場合に前記光が一方の前記側壁と前記サンプルの表面で反射して前記撮像装置の受光角に入らないように前記斜角が設定された光源と、
を備える装置。
【請求項２】
前記光源の照明角度が調整可能である、請求項１に記載の装置。
【請求項３】
前記基板表面から反射した前記光は前記撮像装置の受光角に入らない、請求項１に記載の装置。
【請求項４】
前記光源は、前記基板表面に対して所定の斜角で設置された光ファイバ束である、請求項１〜３のいずれかに記載の装置。
【請求項５】
前記撮像装置が光学顕微鏡を備える、請求項１〜４のいずれかに記載の装置。
【請求項６】
前記マイクロプローブの円筒軸線が前記サンプル面に対して直角になるように前記ステージを回転させるように、また前記光源からの照明も前記サンプル面に対して直角に方向付けられるように前記光源を位置決めするように、前記光源が前記マイクロプローブの前記円筒軸線と同じ垂直平面内に概ね位置決めされた、請求項１に記載の装置。
【発明の詳細な説明】
【技術分野】
【０００１】
本願は、２００６年１０月２０日出願の米国特許仮出願第６０／８５３，１８３号および２００７年５月４日出願の米国特許仮出願第６０／９２７，７１９号からの優先権を主張するものである。
本発明は透過型電子顕微鏡および走査透過型電子顕微鏡のためのサンプルの抽出および取り扱いに関する。
【背景技術】
【０００２】
集積回路の作製などの半導体製造は一般に、フォトリソグラフィの使用を伴う。その上に回路が形成される通常はシリコン・ウェハである半導体基板は、放射に露光されたときに溶解性を変えるフォトレジストなどの材料で被覆される。放射源と半導体基板との間に位置決めされるマスクまたはレチクルなどのリソグラフィ・ツールは、基板のどの領域が放射に露光されるかを制御するために影を投影する。露光後、フォトレジストは、以降のエッチングまたは拡散プロセスの間にウェハの部分を保護する、ウェハ上にパターン形成されたフォトレジストの層を残して露光された領域あるいは露光されていない領域から取り除かれる。
【０００３】
フォトリソグラフィ・プロセスによって、多くの場合「チップ（ｃｈｉｐｓ）」と呼ばれる複数の集積回路デバイスまたは電子機械的デバイスを、各ウェハ上に形成することができる。次いでウェハは、それぞれ単一の集積回路デバイスまたは電子機械デバイスを含む個別のダイに切り分けられる。最終的に、これらダイは追加の工程を経て、個別の集積回路チップまたは電子機械デバイスにパッケージングされる。
【０００４】
製造プロセスの間、露光および焦点の変動は、パターンの寸法が許容可能な範囲内にあるかどうかを決定するために、リソグラフィ・プロセスによって作製されたパターンを連続して監視または測定することを必要とする。プロセス制御と呼ばれることが多いそのような監視の重要性は、パターン・サイズがより小さくなると、特に最小フィーチャ（ｆｅａｔｕｒｅ）のサイズが、リソグラフィ・プロセスによって利用可能な解像度の限界に近づくときに相当増大する。いっそう高いデバイス密度を達成するために、ますます小さいフィーチャのサイズが必要である。これには、相互接続ラインの幅および間隔、コンタクト・ホールの間隔および直径、ならびに様々なフィーチャの角部および縁部などの表面幾何形状を含むことがある。ウェハ上のフィーチャは、三次元構造であり、完全な特徴付けは、ラインまたはトレンチの頂部幅のまさに表面寸法ではなく、フィーチャの完全な三次元プロファイル（ｐｒｏｆｉｌｅ）を描写しなければならない。プロセス・エンジニアは、作製プロセスを微細に調整し、所望のデバイス幾何形状が得られることを確実にするために、そのような表面フィーチャの臨界寸法（（ｃｒｉｔｉｃａｌ  ｄｉｍｅｎｓｉｏｎｓ）ＣＤ）を正確に測定することができなければならない。
【０００５】
一般に、ＣＤ測定は走査電子顕微鏡（ＳＥＭ）などの機器を使用して行われる。走査電子顕微鏡（ＳＥＭ）では、一次電子ビームが、観察されるべき表面を走査する微細なスポットに集束される。二次電子が、一次ビームが当たったときに表面から放出される。二次電子が検出され、画像が形成され、画像の各点での輝度がビームが表面の対応するスポットに当たるときに検出される二次電子の数によって決定される。しかし、フィーチャがますますより小さくなり続けると、測定すべきフィーチャが通常のＳＥＭによって提供される解像度に対して小さすぎる点になる。
【０００６】
透過型電子顕微鏡（ＴＥＭ）は、観察者がナノメートルのオーダで非常に小さいフィーチャを見ることを可能にする。材料の表面を撮像するだけのＳＥＭとは対照的に、ＴＥＭはサンプルの内部構造の分析も可能にする。ＴＥＭでは、幅広のビームがサンプルに当たり、サンプルを通って伝導する電子がサンプルの画像を形成するために集束される。サンプルは、一次ビームにおける多くの電子が、サンプルを通って移動して反対側のサイトで出ることを可能にするために十分に薄くなければならない。ラメラとも呼ばれるサンプルは一般に厚さ１００ｎｍ未満である。
【０００７】
走査透過型電子顕微鏡（ＳＴＥＭ）では、一次電子ビームは微細なスポットに集束され、スポットはサンプル表面にわたって走査される。加工物を通って伝導される電子は、サンプルの離れた側の電子検出器によって収集され、画像の各点の強度は一次ビームが表面の対応する点に当たるときに収集された電子の数に対応する。
【０００８】
サンプルは透過型電子顕微鏡（ＴＥＭまたはＳＴＥＭのいずれか）で観察するために非常に薄くなければならないので、サンプル調製は繊細で時間がかかる作業になることがある。本明細書で使用される場合、用語「ＴＥＭ」は、ＴＥＭまたはＳＴＥＭを指し、ＴＥＭのためのサンプルの調製とは、ＳＴＥＭで観察するためにサンプルを調製することも含むものと理解されるべきである。本明細書で使用される場合、用語「Ｓ／ＴＥＭ」も、ＴＥＭおよびＳＴＥＭの両方を指す。
【０００９】
ＴＥＭ試験片を調製するためのいくつかの技術が知られている。これらの技術は、へき開、化学研磨、機械研磨、または広帯域ビームの低エネルギ・イオン・ミリング、あるいは上記の１つまたは複数の組合せを含むことができる。これら技法の欠点は、それら技術が、部位に特定的ではなく、多くの場合、出発材料をますます小さい片に分割する必要があり、それによって元のサンプルの多くが破壊されることである。
【００１０】
一般に「リフト・アウト」法と呼ばれる他の技法は、基板の周囲の部品を破壊または損傷することなく、基板またはバルク・サンプルからサンプルを切断するために集束イオン・ビームを使用する。このような技法は集積回路作製に用いられるプロセスの結果のほか、物理科学または生物科学に一般的な材料の分析に有用である。これらの技術を用いて、任意の配向（例えば、断面または平面図のいずれか）でサンプルを分析することができる。いくつかの技法は、ＴＥＭで直接使用するために十分に薄くサンプルを抽出し、他の技法は、観察前に追加の薄化することを必要とする「チャンク」または大きなサンプルを抽出する。また、これら「リフト・アウト」試験片は、ＴＥＭ以外の他の分析ツールによって直接解析されてもよい。サンプルがＦＩＢシステムの真空チャンバ内で基板から抽出される技法は一般に、「原位置」法と呼ばれる。（サンプル除去のために、ウェハ全体が他のツールに搬送されるときに）サンプルを真空チャンバの外側で取り出すことは、一般に、「外位置」法と呼ばれる。
【００１１】
抽出前に十分に薄化されたサンプルは多くの場合搬送され、観察のために電子を透過する薄いフィルムで被覆された金属格子（グリッド（ｇｒｉｄ））上に設置される。図１Ａは先行技術のＴＥＭ格子１０上に設置されたサンプルを示す。一般的なＴＥＭ格子１０は銅、ニッケル、または金から作製される。寸法は変動しうるが、一般的な格子は、例えば、直径３．０５ｍｍを有してもよく、サイズ９０×９０μｍ2のセル１４と幅３５μｍのバー１３とから構成される中間部分１２を有してもよい。衝突する電子ビームの電子はセル１４を通過することができるが、バー１３によって阻止される。中間部分１２は縁部１６によって囲繞されている。縁部の幅は０．２２５ｍｍである。縁部１６には配向マーク１８を除き、セルがない。電子を透過する薄い支持フィルムの厚さ１５は、試料キャリア全体にわたって均一であり、約２０ｎｍの値である。分析すべきＴＥＭサンプルはセル１４内に配置または設置される。
【００１２】
例えば、一般に用いられる外位置サンプル調製技法の１つにおいては、タングステンなどの材料の保護層２２が、電子ビームまたはイオン・ビーム蒸着を用いて図２に示すようにサンプル表面２１の対象領域上に堆積される。次に、図３−４に示すように、対応する大きなビーム・サイズと共に、高いビーム電流を用いる集束イオン・ビームを用いて、対象領域の前部および後部から離れて多量の材料がミリングされる。ミリングされた２つの矩形２４と２５の間に残っている材料が、対象領域を含んだ薄い垂直のサンプル・セクション２０を形成する。対象領域の裏側にミリングされた溝２５は前溝２４より小さい。このより小さい裏溝は主に時間を節約するためのものだけでなく、完成したサンプルがミリングされたより大きな溝内に平坦に倒れて、微細加工の作業中に試験片を除去することを困難にし得ることも防止する。
【００１３】
図５に示すように、試験片が所望の厚さに達すると、ステージが傾斜され、Ｕ字形の切込み２６が、サンプルをタブ２８によってサンプル上部の両側に吊るした状態で、サンプル・セクション２０の周囲に部分的に沿ってある角度で作製される。小さなタブ２８によって、サンプルが完全にＦＩＢ研磨された後で、最少量の材料を自由にミリングすることが可能になるので、再堆積するアーチファクトが薄いサンプルの上に蓄積する可能性が低減される。次いで、徐々に微細になるビーム・サイズを用いてサンプル・セクションがさらに薄化される。最終的に、タブ２８を切断して、薄化したラメラ２７を完全に切り離す。材料の最終タブが切り離されると、ラメラ２７は、溝の中で僅かに動いたり倒れたりするのが観察されうる。完成し、分離されたラメラ２７を図６に示す。
【００１４】
次いで、完成したラメラ２７を含んだウェハがＦＩＢから取り出され、マイクロマニピュレータを装備した光学顕微鏡の下に置かれる。マイクロマニピュレータに取り付けられたプローブは、ラメラの上に位置決めされ、ラメラと接触するように注意深く下降される。図７に示すように、静電力がラメラ２７をプローブ先端２９に引き付ける。次いで、ラメラが取り付けられた先端２９は一般に、図８に示すようにＴＥＭ格子１０まで移動され、ラメラがバー１３間のセル１４の１つの格子上に置かれるまで下降される。
【００１５】
観察前に追加の薄化を必要とするサンプルは一般に、直接ＴＥＭサンプル・ホルダに設置される。図１Ｂは部分的に円形の３ｍｍのリングを備える一般的なＴＥＭ試料ホルダ３１を示す。いくつかの用途では、サンプル３０がイオン・ビーム堆積または接着剤によってＴＥＭ試料ホルダのフィンガー（ｆｉｎｇｅｒ）３２に取り付けられる。ＴＥＭ（図示せず）においては電子ビームがサンプル３１を通ってサンプル下で検出器までの自由経路を有するように、サンプルはフィンガー３２から延在する。ＴＥＭサンプルは一般に、ＴＥＭサンプルの平面が電子ビームに対して直角の状態で、ＴＥＭのサンプル・ホルダ上に水平に設置され、サンプルが観察される。
【００１６】
一般的な原位置抽出技法は、Ｍｏｏｒｅへの米国特許第６，５７０，１７０号に記載されている。該特許は「Ｕ」字形の切込みを作製し、次いで、サンプルをアンダーカットして切り離すべく「Ｕ」の見えない側からある角度でサンプルを切り込むことによってサンプルを引き出すことを説明している。サンプルが切り離された後、ＦＩＢ（４２）誘導化学蒸着によってプローブがサンプルに取り付けられ、リフト・アウトされる。このプロセスによって一般には、略楔形で約１０×５×５μｍのサイズのチャンク・タイプのサンプルが得られる。このステップの順序を図９−図１０に示す。
【００１７】
次いで、チャンクが、取り付けられたマイクロプローブによってＴＥＭサンプル・ホルダへ搬送され、図１１に示すように、（再度、ＦＩＢ誘導ＣＶＤを用いて）試料ホルダに直接取り付けられる。次いで、プローブが取り付けられたサンプルの端部が図１２に示すように切り離される。この時点で、サンプルが取り付けられたＴＥＭ試料ホルダは一般に、別のＦＩＢシステムへ搬送され、そこでサンプルは電子を透過する薄い区間に薄化される。次いで、サンプルはＴＥＭまたはＳＴＥＭの電子ビームを用いて撮像することができる。
【００１８】
残念ながら、そういった先行技術のサンプル抽出方法を用いたＴＥＭサンプルの調製には多くの欠点がある。そういった方法は一般に、非常に時間がかかるとともに、大きな労力が要る。ＣＤ測定には多くの場合、特定のプロセスを十分に特徴付けかつ認定するには、ウェハ上の異なる場所からの多数のサンプルが必要となる。いくつかの場合、例えば、所与のウェハから１５−５０個のＴＥＭサンプルを分析することが望ましい。既知の方法を用いて非常に多くのサンプルを抽出し、測定しなければならない場合、１つのウェハからそのサンプルを処理するための総時間は数日または数週間にもなることがある。ＴＥＭ分析によって発見することができる情報には非常に価値があるが、ＴＥＭサンプルを製作し、測定するプロセス全体は従来非常に大きな労力を要し、時間がかかるので、この種の分析を製造工程管理に用いることは実用的ではなかった。
【００１９】
具体的には、上記外位置法は非常に信頼できるものではなく、オペレータにはかなりの経験が必要となる。熟練のオペレータであっても、成功するのは約９０％しかない。ラメラ部位を位置決めするのには時間がかかり、難しいことがあるので、サンプルまたはプローブ先端を損傷させないように、抽出プローブを非常に注意して適所へ移動しなければならない。ラメラが完全に切り離されると、それは予測不能に動くことがある。例えば、ラメラが溝内で倒れたり、またはいくつかの場合には、実際に、静電力によって押し上げられて、溝の外に押し出されたりすることがある。この動きのために、抽出プローブを用いてラメラを配置および／または拾い上げることが困難になることがある。プローブとサンプルとの間の静電引力も、多少予測不可能である。いくつかの場合、ラメラはプローブ先端に留まらない恐れがある。むしろ、ラメラはプローブの異なる部分へ跳ね上がることがある。他の場合には、サンプルが移動されている間に、ラメラが落下することもある。ラメラがＴＥＭ格子までうまく搬送される場合、プローブ先端ではなく格子支持フィルムにラメラを付着させるのが困難になることがある。ラメラは多くの場合プローブ先端にくっつくので、本来フィルムの上に拭い取らなければならない。その結果、ラメラがＴＥＭ格子へ搬送されるときに、ラメラの正確な配置または配向を制御することは実質的に不可能である。
【００２０】
上記原位置法はより予測可能で、信頼できるものであるが、非常に時間がかかる。マイクロプローブをサンプルに取り付けるステップ、サンプルを試料ホルダに取り付けるステップ、およびマイクロプローブを切り離すステップによってかなりの時間が取られる。サンプルもまたＦＩＢ装置内部でＴＥＭ格子まで移動され、それに取り付けられるが、これはより貴重なＦＩＢの時間を必要とする。
【００２１】
サンプル抽出および搬送のプロセスを高速化すれば、半導体ウェハをより迅速に製造ラインに戻すことを可能にすることによって、時間および潜在的な収益の点で大きな利点が得られる。サンプルの取り出しおよび搬送のプロセスの完全または部分的自動化は、プロセスを高速化するだけでなく、オペレータおよび技術者に要求される技能レベルも低減されるので人件費が抑えられる。
【先行技術文献】
【特許文献】
【００２２】
【特許文献１】米国特許第６，５７０，１７０号公報
【特許文献２】米国特許第７，０４１，９８５号公報
【特許文献３】特表２００３−５１１８４４号公報
【特許文献４】特開２００６−１４４８２５号公報
【特許文献５】特開２００４−１１１０９７号公報
【発明の概要】
【発明が解決しようとする課題】
【００２３】
サンプル製作、抽出、および測定を含むＴＥＭサンプル分析のための改善された方法が必要である。
【課題を解決するための手段】
【００２４】
したがって、本発明の目的はＴＥＭサンプル分析のための改善された方法を提供することである。本発明の好適な実施形態は、ＴＥＭサンプルを製作および分析するプロセスを労力のより少ないものにし、ＴＥＭ分析の処理能力を増大させるために、ＴＥＭサンプル抽出および取り扱いを部分的または完全に自動化する改善された方法を提供する。
【００２５】
上記は、以下の本発明の詳細な説明がよりよく理解できるように、本発明の特徴と技術的利点をむしろ広く概説したものである。本発明の追加の特徴と利点を以下に記載する。開示された概念と特定の実施の形態が、本発明と同じ目的を実行するための他の構造を改変または設計するための基礎として容易に利用され得ることが、当業者によって認められるべきである。そのような同等の構成が添付の特許請求の範囲に記載された発明の精神と範囲を逸脱しないことも当業者によって理解されるべきである。
【００２６】
本発明ならびにその利点をさらに完全に理解するために、ここで添付図面に関連してなされた以下の説明を参照することにする。
【図面の簡単な説明】
【００２７】
【図１Ａ】一般的な先行技術のＴＥＭ格子を示す図である。
【図１Ｂ】一般的な先行技術のＴＥＭ試料ホルダを示す図である。
【図２】先行技術の外位置サンプル調製技法におけるステップを示す図である。
【図３】先行技術の外位置サンプル調製技法におけるステップを示す図である。
【図４】先行技術の外位置サンプル調製技法におけるステップを示す図である。
【図５】先行技術の外位置サンプル調製技法におけるステップを示す図である。
【図６】先行技術の完成され分離されたラメラを示す顕微鏡写真である。
【図７】先行技術のプローブおよび静電引力を用いたラメラの搬送を示す図である。
【図８】先行技術のプローブおよび静電引力を用いたラメラの搬送を示す図である。
【図９】先行技術のチャンク・タイプＴＥＭサンプルの一般的な原位置リフト・アウトにおけるステップを示す図である。
【図１０】先行技術のチャンク・タイプＴＥＭサンプルの一般的な原位置リフト・アウトにおけるステップを示す図である。
【図１１】図１０〜１３のサンプルを先行技術のＴＥＭ試料ホルダに取り付けるプロセスを示す図である。
【図１２】図１０〜１３のサンプルを先行技術のＴＥＭ試料ホルダに取り付けるプロセスを示す図である。
【図１３】本発明の抽出に適した薄化したラメラ・サンプルを示す図である。
【図１４】本発明の外位置サンプル抽出装置を示す図である。
【図１５】本発明の外位置サンプル抽出装置を用いたサンプル抽出におけるステップを示すフローチャートである。
【図１６】トップダウン照明を用いるときの光ビームの可能な経路を示す光路図の一例を示す図である。
【図１７】斜照明を用いたときの光ビームの可能な経路を示す光路図の一例を示す図である。
【図１８】本発明の勾配の付いたプローブを示す図である。
【図１９Ａ】本発明に従ってプローブ先端を下降させて抽出すべきサンプルと接触させるステップを示す図である。
【図１９Ｂ】本発明に従ってプローブ先端を下降させて抽出すべきサンプルと接触させるステップを示す図である。
【図２０】本発明に従ってプローブ先端を移動させて抽出すべきサンプルと接触させるステップを示す図である。
【図２１】本発明に従ってプローブ先端を移動させて抽出すべきサンプルと接触させるステップを示す図である。
【図２２】本発明に従って抽出されたサンプルをＴＥＭ格子へ搬送するステップを示す図である。
【図２３】本発明に従って抽出されたサンプルをＴＥＭ格子へ搬送するステップを示す図である。
【図２４】本発明に従って抽出されたサンプルをＴＥＭ格子へ搬送するステップを示す図である。
【図２５】本発明に従って抽出されたサンプルをＴＥＭ格子へ搬送するステップを示す図である。
【図２６】本発明に従って改変されたチャンク・タイプのサンプルを製作および抽出するステップを示すフローチャートである。
【図２７】本発明に従って改変されたチャンク・タイプのサンプルを基板から分離するステップを示す図である。
【図２８】本発明に従って改変されたチャンク・タイプのサンプルを基板から分離するステップを示す図である。
【図２９】本発明に従って基板から抽出されたサンプルを示す図である。
【図３０】図２９のサンプルに取り付けられたプローブを示すである。
【図３１】本発明の好適な実施形態のＴＥＭサンプル・ホルダに取り付けられたサンプルを示す図である。
【図３２】本発明の好適な実施形態のＴＥＭサンプル・ホルダに取り付けられたサンプルを示す図である。
【発明を実施するための形態】
【００２８】
本発明の好適な実施形態は、ＴＥＭサンプル抽出および取り扱いのための完全または部分的に自動化されたプロセスを提供する。処理効率を改善し労力をより削減することにより、問題解決あるいは処理の改善のための迅速なフィードバックをプロセス・エンジニアに提供して、Ｓ／ＴＥＭをベースにした測定を、ウェハ作製施設においてより良く利用することが可能になる。
【００２９】
本発明の好適な方法または装置は多数の新規な態様を有しており、本発明は、異なる目的のために、異なる方法または装置において具現化することができるので、すべての態様がすべての実施形態において存在している必要はない。また、説明される実施形態の多くの態様は別個に特許可能であり得る。
【００３０】
本発明の好適な実施形態では、最初に１以上のラメラをウェハまたは他の基板上に形成する。多数のラメラが自動化された外位置プロセスを用いて作成可能であるのが好ましく、このプロセスでは、Ｂｌａｃｋｗｏｏｄらによる「Ｍｅｔｈｏｄ  ｆｏｒ  Ｓ／ＴＥＭ  Ｓａｍｐｌｅ  Ａｎａｌｙｓｉｓ」についての米国特許仮出願第６０／８５３，１８３号に記載されているように、ラメラが除去前に適所で薄化される。図４−８を参照して上述のサンプル・ミリングプロセスを用いて、１以上のラメラをウェハまたは他の基板上の異なる部位に形成することができる。ラメラは図６に示すように基板から完全に分離されないことが好ましい。あるいは、図１３に示すように、各ラメラは、ラメラ２７を適所に保持する少なくとも一の端部において材料の小さなタブ２８を残した状態で部分的に分離される。これはラメラの両側のミリングされた空洞内でラメラが倒れる（これにより、プローブを用いてラメラを位置決めおよび抽出することがいっそう困難になることがある）のを防ぐのを助ける。
【００３１】
所望のラメラが形成されると、ウェハ全体を本願明細書に記載の別個の完全または部分的に自動化された外位置抽出ツールまで搬送することができる。当該分野では周知のように、ウェハはマルチ・ウェハ・キャリアおよび自動搭載ロボットによってサンプル抽出ツールまで搬送されることが好ましいが、ウェハは手動で搬送することもできる。各ウェハの各ラメラ場所についてのｘ−ｙ座標を含む全ラメラ部位のリストをラメラをミリングするのに用いられるＦＩＢシステムから抽出ツールに搬送することができる。次いで、サンプル抽出ツールは機械的ステージを用いて各ラメラ部位まで移動する。ラメラは静電／圧力マニピュレータを用いて抽出され、ＴＥＭ格子の上に置かれる。このラメラ抽出プロセスは完全に自動化されることが好ましい。あるいは、抽出プロセスは完全または部分的に手動で制御することができる。
【００３２】
図１４は本発明に係る外位置サンプル抽出ツール１１０（以下、「Ｅｘ−Ｓｉｔｕ  Ｐｌｕｃｋｅｒ」または「ＥＳＰ」という）の好適な実施形態を示すブロック図である。好適な実施形態では、ＥＳＰはサンプルの外位置抽出用の独立したツールである。ＥＳＰは、機械的ステージ１１２を有するＴＥＭ試験片抽出器、ビデオ・フィード１１５を有する光学顕微鏡１１４、およびサンプル抽出用の（本願明細書ではマイクロプローブとも呼ぶ）プローブ１１６を備える。図１８も参照すると、プローブ１１６は約４５°に傾斜した平坦な先端部を有する円筒形中空管を備えることが好ましく、サンプルをプローブ先端まで引き上げるために、中空管を真空にすることができる。プローブ１１６はプローブの円筒（長手方向）軸線がウェハ（基板）上面に対して約４５°の角度になるように配向されている。被抽出サンプルが垂直のサンプル面を有する場合、この配向によって、プローブもサンプル面に対して４５°に配向される。プローブ１１６は４５°に勾配の付いた表面を有する引き伸ばされた１ｍｍのホウケイ酸塩管を備えることが好ましい。適したプローブは、外径１０−１２μｍの長くて薄いマイクロキャピラリを製作するためにＮａｒｉｓｈｉｇｅ  ＰＣ−１０などのマイクロピペット・プラーを用いて先端が改変された標準的なホウケイ酸塩マイクロピペットを用いることによって製造可能である。
【００３３】
好適な一実施形態では、ＥＳＰは、統合されかつ単一の制御地点（例えば、コントロールＰＣ）１１８を介して制御される以下の構成要素を備える：ＸＹＺＲ機械的基板ステージ１１２上に設置されたウェハ・ホルダ１２２、プローブ・ホルダおよびモータと、マイクロプローブをプローブの円筒（長手）軸線周囲で回転させることのできるＸＹＺプローブ・ステージとを含んだマイクロマニピュレータ・システム１１７、回転可能ＴＥＭ格子ホルダ１２０、ＴＥＭ格子回転コントローラ１２１、任意の別個の格子ステージ（図示せず）（ウェハ・ホルダおよびＴＥＭ格子ホルダは共に１つの機械的ステージ上に設置可能である）、（付着性を最小化するために可能な限り粗くされた）４５°の平坦な先端を有する引っ張り微細加工されたマイクロピペット・プローブ１１６、湿度および温度の影響を最小化するための任意の制御された環境（図示せず）、プローブ１１６中に真空を印加するための１以上の真空ポンプ１２４または他の装置、圧縮空気源などの空圧源１２３、基板を撮像するためのレンズ１１３を有する光学顕微鏡１１４、斜角（１３５）から基板を照明して撮像および／またはマシン・ベースのパターン認識を促進するのに用いられる光学システム１２６（光ファイバ束１２７を用いる）、動作／接触センサおよびコントローラ１２８、空気流または真空センサ１３０、および防振台１３２。
【００３４】
図１４の好適な実施形態では、ＥＳＰはサンプルの抽出および操作を実施するためのソフトウェアを用いるコンピュータ・ステーション１１８に動作可能に接続（または一体化）されている。コンピュータ・ステーション１１８は、適したソフトウェアを介して、ラメラを製作するのに用いられるＦＩＢシステムから抽出すべきサンプルのためのｘ−ｙ座標を受け取ることができる。次いで、サンプルが抽出され、ＴＥＭ格子へ搬送されたら、各ラメラの場所を対応するＴＥＭ格子場所と一致させることができる（一般に、１個のセルに対して１個のラメラ）。これによって、最終的なＴＥＭ結果が元のウェハ上の特定のサンプル部位と自動的に再び適合され得るように、プロセス全体を通してデータ追跡が可能となる。コンピュータ・ステーション１１８はまた、サンプル・ステージおよび格子ステージを位置決めするためおよびマイクロプローブを位置決めするために、ステージ・コントローラおよびマイクロマニピュレータ・コントローラに動作可能に接続されることも好ましい。
【００３５】
小さな真空圧をマイクロプローブ先端を通してラメラに印加することによって、ラメラは、先行技術のように静電力だけを用いるよりも、はるかに正確に制御可能になる。ラメラは確実に適所に保持され、先行技術のように簡単には落下しない。（以下でより詳細に述べるように）プローブ先端とサンプルとの間の静電引力を最小化すれば、プローブ先端に付着し続けるのではなく、サンプルが置かれた場所に正確に留まる可能性が非常に高くなる。静電引力を用いて（全体として、または真空圧と併せて）サンプルをプローブ先端に付着させる場合であっても、マイクロプローブ上の角度の付いた勾配は、プローブ先端をその長手軸線周囲に１８０°回転させる能力を伴って、ラメラをＴＥＭ格子フィルム上に平坦に配置させ、これがサンプルとＴＥＭ格子フィルムとの間の引力を最大化しやすくするので、サンプルをフィルムに付着させ、それが置かれた位置に留まらせる。（ＴＥＭステージをサンプル間で頻繁に調節しなくてもよいので）これによってサンプルの配置および配向を正確に制御することが可能になるので、分析の予測可能性および処理能力が大幅に増大される。
【００３６】
図１５はウェハから多数のサンプルを抽出する際の本発明によるステップを示すフローチャートである。これらのステップはコンピュータ可読命令を介してコンピュータ・ステーション１１８によって自動的に実行および制御されるのが好ましいが、完全または部分的に手動で制御することも可能である。
【００３７】
ステップ２０１では、ミリングされているが抽出されていないサンプルを含んだウェハがＥＳＰウェハ・ホルダ１２２内に搭載される。好適な実施形態では、サンプルは図４−８を参照して上述したように製作されているが、ラメラは基板から部分的にだけ分離され、ラメラを適所に保持する材料の小さなタブを両側に残したままにするのが好ましい。ウェハ・ホルダ１２２がＸＹＺＲ機械的基板ステージ上に設置されている。ウェハは既知の方法を用いて自動的または手動的に整列可能である。
【００３８】
ウェハ基板が整列された後、ステップ２０２では、ＥＳＰはサンプルを製作するのに用いられるＦＩＢシステムからインポートされた位置データを用いてサンプル部位まで移動することができる。ＥＳＰ光学顕微鏡１１４を用いて、基板がサンプル部位で撮像される。正確なサンプルの場所および配向が決定され、プローブが適所に移動される。図２０−２１も参照すると、（図１４および１９Ａ−Ｂに示すように、プローブは一般に、プローブ１３１の円筒軸線と基板表面の平面との交差が鋭角１３６を成すように下方に傾斜されるが）サンプル・ステージはプローブの配向がラメラ面に対して概ね直角になるように回転される。すなわち、プローブの円筒軸線はサンプル表面に対して直角の平面内にある。このプロセスは、手動制御を用いてプローブおよび／または基板を移動させてプローブ先端をサンプルの裏側のミリングされた空洞に位置決めするサンプル部位を観察しているオペレータによって実行可能である。好適な実施形態では、このプロセスはマシンをベースにした画像認識を用いて自動的に実行することができる。
【００３９】
サンプルの位置決めおよび格子整列を促進するために、斜照明および明視野照明の両方が使用されるべきである。抽出すべきラメラを位置決めするためにラメラ空洞を撮像するのに、斜照明が使用されるべきである。図１４、１９Ａ、および２０も参照し、ラメラ自身がＸ−Ｙ平面３２９にあるものと仮定すると、光線２７２は、基板３３２の表面から反射する光が光学顕微鏡１１４のレンズ１１３の受光角に入らないように、ラメラ３２７のＸ−Ｙ平面に対して直角の平面に、基板表面に対して鋭角１３５に方向付けられるのが好ましい。光線は基板表面に対して約２０°の角度で方向付けられるのがさらに好ましい。
【００４０】
レンズの受光角度に入る光は非常に少ないので、ラメラ空洞の壁に角度が付いているために、トップダウン照明による空洞内では像コントラストが非常に悪い。図１６および１７に示すように、空洞内では多数の反射が起こるので、その信号量は空洞内の壁の角度に大きく依存し、これらは用途毎に著しく変動しうる。その結果、いくつかの場合には、照明は上記９０°の角度以外の角度に方向付けられる必要があり得る。好適な実施形態では、照明角度はオペレータによって手動で、または自動的に調整可能であるべきである。明視野照明を用いてアライメント・マークおよびＴＥＭ格子を撮像することができる。
【００４１】
残念ながら、ラメラは時に、空洞から見つからないか、不適切に位置決めされる恐れがある。そういった場合、ラメラが存在するか否かを迅速に判断することができることが重要である。図１６では、点線２６５はラメラが存在しないトップダウン照明を表す。図１６に示すように、トップダウン照明がラメラ空洞２６２内にあり、ラメラが存在しない状態では、光線２６４は多数の反射を生じ、レンズ（図示せず）の受光角度２６６には再度入らない。同様に、ラメラ３２７が空洞２６２内にある場合、光線（実線２６４で示す）も受光角度２６６外の角度で反射する。したがって、トップダウン照明を用いれば、（ラメラ３２７の存在の有無にかかわらず）ラメラ空洞２６２全体は暗く見える。
【００４２】
しかし、斜照明を用いる場合、より多くの反射光がレンズに入る。図１７に示すように、点線２７０はラメラが存在しない斜照明を示す。この場合、光線は２つの空洞側壁から反射し、レンズに入る。したがって、ラメラが存在しない場合、空洞２６２の左半分はより明るく見える。線２７２はラメラ３２７が適所に存在する斜照明を表す。この場合、反射光はレンズから逃げやすく、（ラメラ３２７自身の上部は見えるが）空洞２６２は暗く見える。したがって、斜照明を用いれば、ラメラがまだ空洞内にあるか否かおよびラメラがほぼ期待された位置にあるか否かを容易に判断可能である。空洞壁の傾斜およびラメラ面の傾斜に応じて、適した照明角度がウェハ平面に対して、かつウェハに対して直角の軸線に対して調整してサンプルの場所を最適化し得る。
【００４３】
例えば、基板表面に対して適した斜角で設置された光ファイバ束を用いて斜照明を提供することができる。抽出すべきサンプルが一方の側から来る照明および他方側から来るプローブと位置決め可能なように、照明源はプローブおよびマイクロマニピュレータの反対に設置されることが好ましい。照明源はプローブと同じ平面に設置されることも好ましい。その結果、ラメラ面がプローブに対して直角になるようにサンプル・ステージを回転させることで、照明源に対してサンプルも適切に位置決めされる。
【００４４】
ステップ２０４では、サンプル抽出プローブは抽出すべきサンプル上の適所へ移動される。図１９Ａに示すように、サンプルを抽出するために、ＥＳＰプローブ先端３３０は、所望のプローブ取り付け部位に対して大まかに直角になるように、一般には図２０−２１に示すサンプルの中央になるように配向される。図１８−１９Ｂに示すように、ＥＳＰプローブ先端３３０は、約４５°の角度１３４で勾配が付いていることも好ましく、ＥＳＰプローブ１１６全体はウェハ上面（点線３３３で示す）に対して約４５°の角度１３６で配向される。抽出すべきサンプルが垂直のサンプル面を有する場合、サンプル面（点線３５２で示す）に対するプローブ１１６の角度１３３も４５°になる。その結果、この勾配付きのプローブ面はサンプル面に対して実質的に平行になる。このプローブの内壁を点線３１７で示す。
【００４５】
サンプルを抽出するために、ステップ２０６では、ＥＳＰプローブは図１９Ａに示すようなサンプル面３５１の１つに隣接する矩形領域３２４のようなサンプル面の前方の空洞内へ下降される。図１９Ａの矢印３２０はプローブが適所に下降されるときの運動方向を示す。
【００４６】
真空がより強力な引っ張り力をラメラ上に及ぼすように、プローブ先端はできるだけ大きなものであるべきである一方で、プローブ面がサンプル側に接触してサンプルがプローブ先端へ引き込まれるような十分な深さまで、サンプル面の前方の空洞に収まるようにプローブ先端は十分小さなものでなければならない。本発明のサンプル構造上の適したプローブ接触を図１３の点線の円５２で示す。
【００４７】
当業者であれば、プローブの内径が、真空が印加されるときに管を通る気流に大きな影響を及ぼすことを認識する。内径が大きいと、より強力な吸引が可能となる。しかし、内径はサンプルがプローブ内部に引き込まれないように、抽出すべきサンプルの最小寸法よりも小さいことが望ましい。好適な実施形態では、以下に示すように、サンプルとプローブとの間の表面接触を最小化するため、ひいては、サンプルとプローブとの間の静電引力または他の引力を最小化するために、プローブ先端は粗くした面を有する。
【００４８】
図２０−２１も参照すると、ステップ２０８では、次いでプローブ１１６はサンプル面３５１に向かって（点線１１６’で示す位置へ）移動され、開いているプローブ先端中に真空が印加される。図２０の矢印３２２は、サンプルと接触するためにプローブ１１６が前方に移動されるときの運動方向を示す。矢印３１８は真空が印加されたときの空気流の方向を示す。ステップ２１０では、プローブ先端がサンプル面３５１と接触すると、プローブ１１６は前方に僅かに押されて、サンプルと基板との間に残っている連結を分断することができる。サンプルを完全に分離するためには、矢印３１９に示すようにプローブを前後に動かすことが必要になることがある。
【００４９】
サンプルは静電力とプローブ先端中に及ぼされる真空圧との組合せによって、プローブ先端に対して保持される。いくつかの実施形態では、プローブは静電力のみによって適所に保持可能である。真空圧を用いてサンプルを適所に保持する場合、プローブ先端がサンプルとプローブ先端との間の静電引力を最小化するようになされることが好ましい。例えば、プローブ先端は、サンプルとプローブとの間の表面接触を最小化するために粗くした表面を有することもできるし、静電引力を低減させる材料で被覆することもできる。静電引力を最小化することにより、サンプルを解放し、サンプルを所望の場所により正確に配置することが容易になる。
【００５０】
また、いくつかの実施形態では、導電性コーティングを有するプローブを用いて、プローブ先端がサンプルといつ接触するかを接触センサが決定しやすくすることができる。サンプル接触は、プローブ先端中に印加される真空の圧力変動を監視するためにフロー・センサを用いることによって決定されてもよい。
【００５１】
ステップ２１２では、次いで、サンプルが基板の上方で安全になるまで、サンプルをウェハから離れる方に上昇させることができる。図２２−２３に示すように、ステップ２１４では、次いでプローブを矢印４０２で示すように１８０°回転させて、水平のドロップオフ位置にサンプルを配置する。回転後、サンプル面は基板表面に対して平行な平面にある。上記のように、ＥＳＰプローブ先端３３０は約４５°の角度で勾配が付けられるのが好ましく、ＥＳＰプローブ全体はサンプル面に対して約４５°の角度に配向される。このことによって、サンプル抽出のために、勾配の付いたプローブ先端を垂直のサンプル面に対して実質的に平行することが可能になり、回転後に水平の支持フィルムに対して実質的に平行にすることも可能になる。当業者は勾配の角度およびプローブ全体の角度は変更可能であることを認識する。しかし、２つの角度の合計は一般に、約９０°になるべきであり、そこではサンプルは実質的に垂直な面を有する。例えば、６０°の勾配を使用する場合、プローブは（サンプル面に対して）約３０°の角度で配向されるべきである。４５°以外の角度を用いる場合、ＴＥＭ格子を傾斜させて、プローブが回転された後にサンプルをＴＥＭ格子上に平坦に配置できるようにしなければならないことがある。別の好適な実施形態では、ＴＥＭ格子などのサンプル・ホルダは垂直に設置されてもよい。この場合、回転は必要なく、（プローブ先端によって垂直に保持された）サンプルはサンプル・ホルダ上に直接置かれてもよい。
【００５２】
ステップ２１６では、次いで、ＴＥＭ格子ホルダが顕微鏡の光学視野の中央に位置するようにＥＳＰステージが移動される。ＴＥＭ格子ホルダは、ＴＥＭ格子を回転させることによって格子がウェハ・ステージのＸＹ軸線と整列できるように、回転ステージ上に設置されることが好ましい。好ましくは、４５°でない勾配／プローブ配向を用いる場合、ステージを傾斜させることもできる。サンプルの位置決めの配向誤差に対処するために、適した方向に格子を回転させることもできる。ステップ２１８では、プローブは、サンプルが所望のＴＥＭ格子セルの上方に位置するように位置決めされる。ステップ２２０では、プローブ１１６はサンプル３２７が図２４−２５に示すように格子支持フィルム１７と接触するまで下降される。線４０４はサンプル３２７が支持フィルム１７上に配置されるときのプローブ１１６の運動方向を示す。接触は適切な接触センサが決定することも、既知の位置および較正データに基づいて自動的に制御することもできる。ＴＥＭ格子に使用されるこの特別なフィルムは、滑らかで均一な表面を有するフィルムであることが好ましい。ラメラとフィルムとの間の良好な表面接触を確保してラメラの搬送および正確な位置決めを促進するためには、より堅固な表面が良い。
【００５３】
多くの場合、プローブ先端を通る真空が印加されたままであっても、サンプルがＴＥＭ格子表面上に置かれると、ラメラはフィルム表面に付着する。ステップ２２１では、プローブ先端からのサンプルの解放を促進するために、真空圧は場合によっては停止される。いくつかの実施形態では、任意のステップ２２２において、プローブ先端に付着したままのサンプルの解放を強制するために、真空圧を僅かに過度の圧力４０６に変化させることができる。
【００５４】
次いで、図２５に示すようにステップ２２４では、次いでプローブはＴＥＭ格子上方の安全な距離まで移動される。線４０８はサンプルが解放された後のプローブの運動方向を表す。抽出すべき他のサンプルがある場合、ステップ２０２−２２４に記載したプロセスが繰り返される。全サンプルが抽出されると、ウェハは製造ラインに戻される（ステップ２２８）。
【００５５】
本発明は先行技術に対して多数の大きな利点を提供する。一般的なＴＥＭサンプル調製方法を用いると、高度に訓練された熟練のオペレータは、ＴＥＭ分析に適した１つのサンプルのラメラを形成し抽出するのに約３時間かかる。トップダウンＳＥＭまたはＣＤ−ＳＥＭ分析のような現行のインライン測定技法のためには、ウェハにわたって２０もの異なる部位を測定する必要があることがある。先行技術のＴＥＭサンプル調製方法を用いると、異なる２０の部位から適したＴＥＭサンプルを調製するのに実に約６０時間かかる。抽出および搬送は、ＴＥＭサンプルを製作および抽出するのに必要な時間の大部分を占める。しかし、本発明を用いれば、ＴＥＭサンプル調製プロセスが著しく改善される。本発明は分析のためにサンプルを抽出してＳＴＥＭへ搬送するのに必要な時間を大きく低減することができる。Ｂｌａｃｋｗｏｏｄらによる「Ｍｅｔｈｏｄ  ｆｏｒ  Ｓ／ＴＥＭ  Ｓａｍｐｌｅ  Ａｎａｌｙｓｉｓ」についての米国特許仮出願第６０／８５３，１８３号に記載の改善されたサンプル製作方法と一緒に本発明を使用することにより、ウェハ表面上の異なる２０の部位をサンプリングするのに必要な時間が約６時間まで低減される。
【００５６】
また、大半のＴＥＭサンプル調製は手動で行わなければならないので、このプロセスには大きな労力がかかり、高度な技能を有するオペレータの使用が必要となる（これは当然、労働コストが高くなる）。本発明によって得られるＴＥＭ分析の処理能力および再現性の増大によって、半導体ウェハ上の集積回路などの物体のＴＥＭをベースにした測定をインライン・プロセス制御に使用することができる。例えば、本発明によるＴＥＭ分析をウェハ作製施設に利用して、問題解決あるいは処理の改善のための迅速なフィードバックをプロセス・エンジニアに提供することも考えられる。ＴＥＭでしか測定できない非常に小さなフィーチャのためのこの種のプロセス制御は、先行技術のＴＥＭサンプル調製方法を用いては不可能である。
【００５７】
本発明の好適な実施形態は、上記サンプル抽出ツールを、原位置技法によって一般に用いられるような「チャンク・タイプ」サンプルと一緒に使用することを可能にする改良されたサンプル構造も提供する。図１０−２１を参照して上述したように、一般的な１つの原位置抽出技法は、ＦＩＢ蒸着を用いてプローブ先端をサンプルに取り付け、サンプルをＴＥＭサンプル・ホルダに搬送してさらに薄化することによって、基板から楔形サンプルを抽出するステップを含む。
【００５８】
ＴＥＭ分析のためのチャンク型サンプルのこのタイプの原位置抽出用にデザインされた統合型の装置の一組は、本発明の譲受人であるＦＥＩ社から入手可能なＵｌｔｒａｖｉｅｗ（商標）システムである。Ａｓｓｅｌｂｅｒｇｓらによる「Ｍｅｔｈｏｄ  ｆｏｒ  ｔｈｅ  ｍａｎｕｆａｃｔｕｒｅ  ａｎｄ  ｔｒａｎｓｍｉｓｓｉｖｅ  ｉｒｒａｄｉａｔｉｏｎ  ｏｆ  ａ  ｓａｍｐｌｅ，ａｎｄ  ｐａｒｔｉｃｌｅ−ｏｐｔｉｃａｌ  Ｓｙｓｔｅｍ」についての米国特許第６，９６３，０６８号には、Ｕｌｔｒａｖｉｅｗ（商標）システムの各種態様が記載されている。Ｕｌｔｒａｖｉｅｗ（商標）システムは、サンプル抽出用のインライン・デュアル・ビーム（ＳＥＭ／ＦＩＢ）システム（例えば、ＦＥＩ社のＥｘｐｉｄａ（商標）シリーズ）、サンプル薄化およびＳＥＭ／ＳＴＥＭ撮像のための研究室ベースの小型チャンバ・デュアル・ビーム・システム（例えば、ＦＥＩ社のＳｔｒａｔａ（商標）シリーズ）、および原子分解能像用のＴＥＭ（例えば、ＦＥＩ社のＴｅｃｎａｉ（商標）シリーズ）を統合したものである。チャンバの真空を壊すことなく１つの装置から別の装置にＴＥＭ格子を搬送するための密閉された搬送カプセル。格子はインライン・デュアル・ビーム・システムから抽出可能な密閉された搬送カプセル内に置かれる。次いで、ウェハの製造プロセス継続中に、カプセルおよびサンプルを研究室へ搬送してさらに処理することができる。次いで、サンプルは研究室内で小型チャンバ・デュアル・ビーム・システムに搬送され、そこでサンプルはＳＴＥＭまたはＴＥＭ撮像前に最終厚までミリングされる。
【００５９】
本発明の好適な実施形態は、上記ＥＳＰツールを用いた抽出のための適した表面を提供する１以上の垂直「ウィング」を有する改良されたサンプル構造を使用する。この改良されたサンプル構造はＦＥＩ  Ｕｌｔｒａｖｉｅｗ（商標）システムのような既存の自動化されたサンプル取り扱いシステムに適合する。所望のサンプルがＦＩＢシステムを用いてミリングされたら、（チャンク・タイプサンプルに慣習的であるように）サンプルを原位置で抽出するよりも、基板はＥＳＰへ搬送されることが好ましく、そこでサンプルが抽出され、ＴＥＭサンプル・ホルダ上に搭載される。
【００６０】
図２６は本発明の好適な実施形態による１以上のサンプルを製作するステップを示すフローチャートである。まず、ステップ５０１では、半導体ウェハなどの基板がデュアル・ビームＦＩＢシステム内に搭載される。当該分野では周知のように、ウェハはマルチ・ウェハ・キャリアおよび自動搭載ロボットによって搬送されることが好ましいが、ウェハは手動で搬送することもできる。
【００６１】
ステップ５０２では、基板６４０から抽出すべき（対象のフィーチャを含む）サンプルの場所が決定される。例えば、基板は半導体ウェハまたはその一部であってよく、抽出すべき部分にはＴＥＭを用いて観察すべき集積回路の一部を含みうる。イオン・ビームを配向し、抽出すべきサンプルの正確な場所を位置決めを支援するために、１以上の基準（ｆｉｄｕｃｉａｌ）マーク６４４が基板にミリングされうる。
【００６２】
所望のサンプルが位置決めされると、ステップ５０４では、イオン・ビーム６４６を用いて、所望のサンプル・セクション６５２を囲繞する（かつ対象のフィーチャを含む）Ｕ字形の溝をミリングする。以下で議論されるサンプル・「ウィング」を製作できるように、この溝は先行技術に用いられる溝よりも若干幅広であることが好ましい。溝が少なくとも部分的にサンプルをアンダーカットするように、ＦＩＢはサンプル表面（例えば、４５°）に対して傾斜されるのが好ましい。
【００６３】
ステップ５０６では、ＦＩＢミリングを用いて、対象のフィーチャの位置から好ましくは約５−１０μｍ離して（フィーチャの正確な位置が分かっている場合には、サンプル・ミリングは対象のフィーチャのより近くで可能であるが）、チャンク・タイプの中央区間６５２の一端に薄いサンプル・セクションまたはウィング６５０を形成する。上記のように、ＥＳＰサンプル抽出ツールを用いてサンプルを抽出するために、ウィング６５０の垂直面を用いることができる。ステップ５０８では、以下にも議論されるように、中央サンプル・セクションの他端上に任意の第２のウィングを形成し、最終的にはそれを用いてサンプルをＴＥＭサンプル・ホルダ上に固定することができる。楔形中央区間６５２のサイズが大きくなっていることで、対象のフィーチャがサンプルに含まれることを確実にするのに役立つ。
【００６４】
図２７は２つのウィング６５０が形成された後の本発明の好適な実施形態のサンプルの図を示す。好適な実施形態では、各ウィングはＦＩＢを用いてチャンク・タイプの中央区間６５２の両側にある隣接する２つの矩形空洞６５４および６５６を切断することによって形成され、隣接する２つの矩形の各セットの間に残る材料が、実質的に垂直な面を有する２つの薄いサンプル・セクションを形成する。隣接する矩形内でミリングすることによって形成された空洞は、深さ５−８μｍおよび幅５−８μｍであることが好ましい。ＦＩＢは、矩形がミリングされるときにはサンプル表面に対して実質的に直角であることが好ましい。各ウィングの両方からきて、厚さ約２μｍの粗いウィングを残す一般的な断面ミリング・パターンを用いることができる。場合によっては、ステップ５０８では、次いで、両側にクリーニング用の断面ミリングを行ってウィングを約１００ｎｍまでさらに薄化することができる。好適な実施形態では、最終的なウィング区間は厚さ約１００ｎｍ×幅１０−２０μｍ×深さ５−８μになる。
【００６５】
好適な実施形態では、ウィングの一方は、上記自動サンプル抽出システム用のプローブ先端のための取り付け場所として使用することができる。他方のウィングはＴＥＭサンプル・ホルダへ取り付けるためのクランプ場所として働き得る。サンプルをＴＥＭサンプル・ホルダ上に設置するのに用いられる方法に応じて、第２のＴＥＭサンプル・ホルダ取り付けウィングを必ずしも形成しなくてもよい。いくつかの実施形態では、ＴＥＭサンプル・ホルダ取り付けに用いられるウィングは異なる形状であってもよくかつ／または異なる寸法のプローブ取り付け用ウィングを有しうる。他の実施形態では、サンプルは実質的には、ウィングをまったく有さない例えば厚さ５−１０μｍの非常に厚いラメラとして形成可能である。
【００６６】
ステップ５１０では、サンプルの切り離しを完了するために、ＦＩＢをサンプル表面に対して（例えば約４５°まで）再び傾斜し、次いでサンプルを１８０°回転させ、最初のＵ字形溝の上部に沿って溝をミリングする。図２７は上部溝６５８がほぼ完全にミリングされたサンプルを示す。図２８は本発明に従って完成され、抽出されたサンプルの好適な実施形態を示し、約１０μｍ（長さ）×５μｍ（幅）である中央区間６５２と長さ約１０μｍ×深さ５−８μｍである２つのウィング６５０とを有する。
【００６７】
（対象のフィーチャがより大きな楔形中央区間内に含まれるので）１以上のサンプル・ウィングをミリングするのに高い精度が必要ないため、サンプルの分離を迅速に達成することができ、ウェハをより迅速に製造ラインへ戻すことが可能となる。１以上のウィングを形成するには、先行技術のように純粋に楔形のサンプルを形成することに比べて、追加で５−１０分のＦＩＢミリングだけでよい。以下で議論されるように、本発明のサンプル構造は、サンプルがＴＥＭフィンガー格子へ搬送されるときに、サンプルの配向を保持するのに役立つ。
【００６８】
抽出すべき追加のサンプルがある場合（ステップ５１２）、ＦＩＢシステムは各追加のサンプル部位まで移動し（ステップ５１４）、ステップ５０２−５１０に記載したプロセスを繰り返すことができる。ステップ５１６では、ミリングが所望のサンプルの場所のすべてにおいて完了すると、ウェハは、上で詳細に記載したＥＳＰサンプル抽出ツールなどのサンプル抽出ツールへ搬送される。当該分野では周知のように、（サンプルがすべてミリングされた）ウェハは、マルチ・ウェハ・キャリアおよび自動搭載ロボットによってＥＳＰへ搬送されることが好ましいが、ウェハは手動で搬送することもできる。
【００６９】
ステップ５１８では、ＥＳＰプローブは抽出すべきサンプルまで移動する。サンプル抽出ツールは各サンプル部位まで移動するのに機械的ステージを用いることが好ましい。ステップ５２０では、プローブ１１６が好ましくは上記のように真空圧を用いて図２９および図３０に示すサンプル・ウィングのうちの１つのサンプル・ウィング６５０上の垂直面６５１に取り付けられ、このプローブを用いて、図９に示す先行技術のＴＥＭフィンガー格子などのＴＥＭサンプル・ホルダへサンプルが搬送される。いくつかの実施形態では、ＴＥＭサンプル・ホルダはＦＥＩ社のＵｌｔｒａｖｉｅｗ（商標）サンプル搬送カプセルに適合する。サンプル抽出プロセスは完全自動化されることが好ましい。あるいは、抽出プロセスは完全または部分的に手動で制御可能である。サンプル・ホルダを適した方向に回転させて、サンプルの位置決めの配向誤差に対処することもできる。サンプルは、取り付けの安全性を改善し、サンプルの適切な配向を維持するのを支援するように働く垂直ウィングの形状を用いて、糊または接着剤などの任意の適した方法によってＴＥＭサンプル・ホルダ上の適所に保持することができる。
【００７０】
サンプルがホルダに取り付けられると、プローブは切り離されて、ウェハに戻り、別のサンプルを抽出することができる。全サンプルが抽出されると、ステップ５２４では、ウェハは製造ラインに戻される。ステップ５２６では、さらなる薄化および分析のために、サンプルはＴＥＭサンプル・ホルダを用いて第２のデュアル・ビームＦＩＢへ搬送される。サンプルの薄化が完了した後、ステップ５２８では、次いで、撮像のためにサンプルをＳ／ＴＥＭへ搬送することができる。
【００７１】
好適な一実施形態では、図３１に示すように、ノッチ７６２をＴＥＭフィンガー格子上の１以上のフィンガー３２の上に形成することができる。プローブを用いて垂直ウィング６５０をノッチ７６２内に滑り込ませることができ、そこで、（ウィングとノッチとの間に密着嵌合を必要とする）摩擦によって、またはＵＶ硬化接着剤または糊などの他の手段によってプローブを適所に保持可能である。サンプルを位置決めすることおよび／またはサンプルが適所に移動されるときにプローブがフィンガー格子に接触するのを阻止することを容易にするために、いくつかの実施形態では、サンプル上面の点線７６４で示した領域にプローブ先端を取り付けることができる。プローブ先端をサンプルの水平面に取り付けるために、勾配の付いた先端がサンプルの上部と平行になるように、プローブを（プローブの円筒軸線周囲に）１８０°回転させることができる。次いで、先端がサンプルと接触し、真空が印加されてプローブ先端に対してサンプルを保持するように、プローブを下降することができる。
【００７２】
図３２に示す好適な実施形態では、ウィング６５０の垂直面がＴＥＭフィンガー格子上のフィンガー３２の１つの側に対して配置されるように、プローブを用いてサンプルを位置決めすることができる。既知の方法を用いて少量のＵＶ硬化接着剤または糊をフィンガー側壁の点線７６３で示した領域に塗布することができ、ＵＶ光源を用いて糊を硬化させ、サンプルを適所に保持することができる。この実施形態では、垂直ウィング６５０はフィンガー３２の垂直側壁に対して確実に保持されるので、サンプルの配向は正確に制御可能であることを当業者は認識する。いくつかの実施形態では、対象のフィーチャに対するウィング６５０の側壁の角度を変化させることによって配向を変更することができる。
【００７３】
本発明は、広範な応用可能性を有し、上記実施例において説明されかつ示されるような多数の利点を提供することができる。上記実施形態は、特定の用途に応じて大きく変わり、必ずしもすべての実施形態が、すべての利点を提供し、本発明によって達成可能であるすべての目的を満たすものでもない。例えば、好適な実施形態では、マイクロメートル以下のスポットに集束されるガリウム・イオンのビームを生成するために、ＴＥＭサンプルはガリウム液体金属イオン源を用いて製作される。こういった集束イオン・ビーム・システムは、例えば、本願の譲受人であるＦＥＩ社から市販されている。しかし、前記説明の大半はＦＩＢミリングの使用に向けられたものであるが、所望のＴＥＭサンプルを処理するのに用いられるミリングビームは、例えば、電子ビーム、レーザ・ビーム、または、例えば液体金属イオン源もしくはプラズマ・イオン源からの集束されたあるいは整形されたイオン・ビーム、あるいは任意の他の荷電粒子ビームを含むことができる。また、上記本発明は、ｄｉｅ−ｔｏ−ｄｉｅまたはｃｅｌｌ−ｔｏ−ｃｅｌｌ式のＡＤＲ（Ａｕｔｏｍａｔｉｃ  Ｄｅｆｅｃｔ  Ｒｅｖｉｅｗｉｎｇ）により欠陥を識別することのできる自動欠陥検査（ＡＤＲ）技法と共に用いることができる。欠陥を含んだサンプルを作製し、ミリング用の基準を用いて、または用いずに除去することができる。さらに、前記説明の多くは半導体ウェハに関するものであるが、本発明は任意の適切な基板または表面に適用することができる。また、前記説明の大半は厚さ１００ｎｍ未満の略矩形形状のラメラに向けられたものであるが、本発明は他の厚さを有するラメラおよび他の形状を有するサンプルと共に使用することができる。添付図面は本発明をわかりやすくしようとするためのものであって、特に指示しない限り、原寸大ではない。
【００７４】
本発明ならびにその利点を詳細に説明してきたが、添付の特許請求の範囲に定義された発明の精神と範囲を逸脱することなく種々の変更、代替、改変が本明細書の実施形態になされうることが理解されるべきである。さらに、本願の範囲は明細書に記載されたプロセス、機械、製造物、組成物、手段、方法および工程の特定の実施の形態に制限されることを意図するものではない。当業者であれば本発明の開示から容易に理解できるので、上記に記載された対応する実施の形態と実質的に同じ機能を実行しまたは実質的に同じ結果を得る既存のまたは今後開発されるプロセス、機械、製造物、組成物、手段、方法および工程は本発明に従って利用され得る。したがって、添付の特許請求の範囲は、そのようなプロセス、機械、製造物、組成物、手段、方法および工程をその範囲内に含めることを意図するものである。
【符号の説明】
【００７５】
１１０  外位置サンプル抽出ツール
１１２  機械的ステージ
１１４  光学顕微鏡
１１６  プローブ
１１７  マイクロマニピュレータ・システム
１２０  回転可能ＴＥＭ格子ホルダ
１２１  ＴＥＭ格子回転コントローラ
１２４  真空ポンプ
１２６  光学システム
【図１Ａ】
0005711204.tif 000002
【図１Ｂ】
0005711204.tif 000003
【図２】
0005711204.tif 000004
【図３】
0005711204.tif 000005
【図４】
0005711204.tif 000006
【図５】
0005711204.tif 000007
【図６】
0005711204.tif 000008
【図７】
0005711204.tif 000009
【図８】
0005711204.tif 000010
【図９】
0005711204.tif 000011
【図１０】
0005711204.tif 000012
【図１１】
0005711204.tif 000013
【図１２】
0005711204.tif 000014
【図１３】
0005711204.tif 000015
【図１４】
0005711204.tif 000016
【図１５】
0005711204.tif 000017
【図１６】
0005711204.tif 000018
【図１７】
0005711204.tif 000019
【図１８】
0005711204.tif 000020
【図１９Ａ】
0005711204.tif 000021
【図１９Ｂ】
0005711204.tif 000022
【図２０】
0005711204.tif 000023
【図２１】
0005711204.tif 000024
【図２２】
0005711204.tif 000025
【図２３】
0005711204.tif 000026
【図２４】
0005711204.tif 000027
【図２５】
0005711204.tif 000028
【図２６】
0005711204.tif 000029
【図２７】
0005711204.tif 000030
【図２８】
0005711204.tif 000031
【図２９】
0005711204.tif 000032
【図３０】
0005711204.tif 000033
【図３１】
0005711204.tif 000034
【図３２】
0005711204.tif 000035